(57)【要約】【課題】  サムターンの容易な不正操作が困難になるとともに、施解錠状態の確認が可能な防犯サムターンを提供する。【解決手段】  扉屋内面から突出され錠箱１１のカム板１３に連結されるとともに鍵穴３９を有する摘み被着軸１９と、摘み被着軸１９に着脱自在な摘み部材２１とを備える。摘み部材２１は、摘み被着軸１９に着脱自在に外嵌する嵌合筒４５と、嵌合筒４５の外周に回転自在かつ軸線方向に移動自在な摘みリング４７とを有する。嵌合筒４５には、摘み被着軸１９の鍵穴に係合して摘み被着軸１９との相対回転を不能にする合鍵４１を有し、摘みリング４７と嵌合筒４５とには、摘みリング４７が軸線方向に移動されることによって相互に係合して摘みリング４７と嵌合筒４５との相対回転を不能にするクラッチ手段６３が設けられる。【選択図】      図１
2006226063.tif 000002
【特許請求の範囲】
【請求項１】
扉屋内面から突出され錠箱の施解錠入力部材に連結されるとともに軸側係合部を有する摘み被着軸と、該摘み被着軸に着脱自在な摘み部材とを備え、
前記摘み部材は、前記摘み被着軸に着脱自在に外嵌する嵌合筒と、該嵌合筒の外周に回転自在かつ軸線方向に移動自在な摘みリングとを有し、
前記嵌合筒には、前記摘み被着軸の軸側係合部に係合して前記摘み被着軸との相対回転を不能にする筒側係合部が形成され、
前記摘みリングと前記嵌合筒とには、該摘みリングが軸線方向に移動されることによって相互に係合して前記摘みリングと前記嵌合筒との相対回転を不能にするクラッチ手段が設けられたことを特徴とする防犯サムターン。
【請求項２】
前記摘み被着軸の前記軸側係合部がシリンダ錠の鍵穴であり、
前記嵌合筒の筒側係合部が前記シリンダ錠の合鍵であることを特徴とする請求項１記載の防犯サムターン。
【請求項３】
前記クラッチ手段が、前記嵌合筒の外周と前記摘みリングの内周とによって覆われることを特徴とする請求項１又は２記載の防犯サムターン。
【請求項４】
屋内側に露出する前記嵌合筒の端面に、該嵌合筒の回転位置を視認可能とする標示手段が設けられたことを特徴とする請求項１，２，３のいずれか１つに記載の防犯サムターン。
【発明の詳細な説明】
【技術分野】
【０００１】
本発明は、扉の屋内面に突出させた摘みを覆うことにより、錠箱に対する不正な解錠操作力の入力を阻止する防犯サムターンに関する。
【背景技術】
【０００２】
マンションや住宅等に設けられる玄関扉には錠箱が設けられ、錠箱は扉木口から進退させたデッドボルトを扉枠に係合・係合解除させて、扉を施解錠する施解錠機構を内蔵している。錠箱は、屋外側からのシリンダー錠による施解錠操作力、或いは屋内側からのサムターンによる施解錠操作力の入力によって施解錠動作される。すなわち、屋外側からはシリンダー錠の合鍵による操作が必要になる一方、屋内側からは合鍵を用いずに摘みのみの回転操作で施解錠が簡便に行えるようになっている。
【０００３】
この種のサムターンは、下記特許文献１にも開示されるように、扉の屋内面側に垂直に突出した板状の摘みを有する。この摘みは、サムターン軸を介して錠箱の施解錠機構に連結される。従って、屋内側からは、この摘みを指で摘んで正逆回転操作することで、回転操作力がサムターン軸を介して直接錠箱へ伝達され、施解錠機構によりデッドボルトが進退されて、簡便な施解錠操作が可能となる。
【特許文献１】特公平２−１５７１５号公報  （第１図ｂ，第１図ｃ）
【発明の開示】
【発明が解決しようとする課題】
【０００４】
しかしながら、近年、ポスト口や、機械工具によって開けた小さな穴から棒や針金等を挿入し、回転操作の容易なサムターンに係止して回転させ、施錠装置を解錠する不正解錠が増えている。
【０００５】
また、小穴から挿入された棒や針金等によって、サムターンが不正操作できないようにするため、サムターンを取外し可能とした脱着式の防犯型サムターンも提案されているが、サムターンを取外した場合、摘みの回転位置が認識し難くなり、施解錠状態が確認できなくなる問題があった。このため、施錠から解錠、或いは解錠から施錠への操作予測が困難となり、誤操作を生じさせ、操作性を低下させた。
【０００６】
本発明は上記状況に鑑みてなされたもので、サムターンの容易な不正操作が困難になるとともに、施解錠状態の確認が可能な防犯サムターンを提供し、もって、防犯性の向上、操作性の低下防止を図ることを目的とする
【課題を解決するための手段】
【０００７】
次に、上記の課題を解決するための手段を、実施の形態に対応する図面を参照して説明する。
本発明の請求項１記載の防犯サムターン１００は、扉屋内面１７から突出され錠箱１１の施解錠入力部材１３に連結されるとともに軸側係合部３９を有する摘み被着軸１９と、該摘み被着軸１９に着脱自在な摘み部材２１とを備え、
前記摘み部材２１は、前記摘み被着軸１９に着脱自在に外嵌する嵌合筒４５と、該嵌合筒４５の外周に回転自在かつ軸線方向に移動自在な摘みリング４７とを有し、
前記嵌合筒４５には、前記摘み被着軸１９の軸側係合部３９に係合して前記摘み被着軸１９との相対回転を不能にする筒側係合部４１が形成され、
前記摘みリング４７と前記嵌合筒４５とには、該摘みリング４７が軸線方向に移動されることによって相互に係合して前記摘みリング４７と前記嵌合筒４５との相対回転を不能にするクラッチ手段６３が設けられたことを特徴とする。
【０００８】
この防犯サムターン１００では、扉屋内面１７から突出する摘み被着軸１９に摘み部材２１が装着された状態で、摘み部材２１の嵌合筒外周に設けた摘みリング４７が空転自在となる。また、施解錠操作時には、摘みリング４７が軸線方向に移動した後に、回転操作されることで、摘みリング４７がクラッチ手段６３を介して嵌合筒４５と一体回転可能となり、これにより摘みリング４７の操作を摘み被着軸１９に伝え、施解錠入力部材１３が作動する。さらに、外出時、就寝時等、頻繁なサムターン操作を行わない場合には、摘み部材２１が摘み被着軸１９から取り外されることにより、扉屋内面１７から摘み被着軸１９のみが突出状態となる。
【０００９】
請求項２記載の防犯サムターン１００は、前記摘み被着軸１９の前記軸側係合部３９がシリンダ錠の鍵穴３９であり、
前記嵌合筒４５の筒側係合部が前記シリンダ錠の合鍵４１であることを特徴とする。
【００１０】
この防犯サムターン１００では、摘み部材２１が取り外されると、摘み被着軸１９はシリンダ錠の鍵穴３９のみが表出することとなり、このシリンダ錠に適合する合鍵４１のみでしか回動操作が行えなくなる。
【００１１】
請求項３記載の防犯サムターン１００は、前記クラッチ手段６３が、前記嵌合筒４５の外周と前記摘みリング４７の内周とによって覆われることを特徴とする。
【００１２】
この防犯サムターン１００では、クラッチ手段６３が嵌合筒４５の外周と摘みリング４７の内周との間で覆われ、外部へ露出されなくなる。
【００１３】
請求項４記載の防犯サムターン１００は、屋内側に露出する前記嵌合筒４５の端面に、該嵌合筒４５の回転位置を視認可能とする標示手段６１が設けられたことを特徴とする。
【００１４】
この防犯サムターン１００では、摘み部材２１の回転位置、すなわち、サムターンとしての施解錠位置が標示手段６１の視認によって容易に把握可能となる。
【発明の効果】
【００１５】
本発明に係る請求項１記載の防犯サムターンによれば、扉屋内面から突出する摘み被着軸に摘み部材が装着された状態では、摘み部材の嵌合筒外周に設けた摘みリングが空転自在となり、小穴等から挿入された針金や棒等による摘みリングを介した錠箱への施解錠操作力の入力を阻止することができる。また、施解錠操作時には、摘みリングを軸線方向に押した後、回転操作することで、摘みリングがクラッチ手段を介して嵌合筒と一体回転可能となり、摘みリングの回動操作によって摘み被着軸を介して錠箱へ施解錠操作力を入力することができる。すなわち、押す、そして、回す、という、比較的容易な操作によって従来同様の施解錠操作が可能となる。また、外出時、就寝時等、頻繁なサムターン操作を行わない場合には、摘み部材を摘み被着軸から取り外すことにより、扉屋内面から摘み被着軸のみを突出させた状態とし、小穴等から挿入された針金や棒等による回転操作を不能にし、防犯性を一層高めることができる。
【００１６】
請求項２記載の防犯サムターンによれば、摘み被着軸の軸側係合部がシリンダ錠であり、嵌合筒の筒側係合部が合鍵であるので、摘み部材を取り外した場合には、摘み被着軸にシリンダ錠の鍵穴のみが表出することとなり、このシリンダ錠に適合する合鍵のみでの回動が可能、すなわち、その合鍵を備えた摘み部材のみでの回動が可能となるので、摘み部材を取り外した状態での防犯性を一層高めることができる。
【００１７】
請求項３記載の防犯サムターンによれば、クラッチ手段を、嵌合筒の外周と摘みリングの内周との間で覆ったので、クラッチ手段が外観として目に触れることがなく、見栄えを良くするとともに、摘みリングの操作時において、クラッチ手段の部分での指や衣服等の挟み込みを防止することができる。
【００１８】
請求項４記載の防犯サムターンによれば、屋内側へ露出する嵌合筒の端面に、嵌合筒の回転位置を視認可能とする標示手段を設けたので、摘み部材の回転位置、すなわち、施解錠位置を容易に視認することができ、施錠から解錠、或いは解錠から施錠への操作予測が容易となり、操作性を向上させることができる。
【発明を実施するための最良の形態】
【００１９】
以下、本発明に係る防犯サムターンの好適な実施の形態を図面を参照して詳細に説明する。
図１は本発明に係る防犯サムターンの縦断面図、図２は摘み部材の分解断面図、図３は摘み部材の外観斜視図、図４は摘みリングが軸線方向へ移動された状態の摘み部材の外観斜視図である。
本実施の形態による防犯サムターン１００は、錠箱１１の施解錠入力部材であるカム板１３に連結され、扉１５の屋内面１７から突出される摘み被着軸１９と、この摘み被着軸１９に着脱自在となる摘み部材２１とを主要な構成部材としてなる。
【００２０】
なお、錠箱１１は、扉１５に内蔵されるもの、或いは扉１５の屋内面１７に突出して取り付けられるもののいずれであってもよい。本実施の形態では、扉１５の屋内面１７に突出して取り付けられる錠箱１１、所謂面付け錠を例に説明する。
【００２１】
錠箱１１の取り付けられた扉１５の屋外面２３には、屋外側シリンダ錠２５が取り付けられている。屋外側シリンダ錠２５は、扉１５を貫通し、回動出力軸２５ａが錠箱１１内の施解錠機構２７の屋外側入力部材２９に連結される。
【００２２】
摘み被着軸１９は、錠箱１１に固定される外筒３１と、この外筒３１に回動自在に内設される内筒３３とからなる。内筒３３と外筒３１とには、タンブラ３７が配設されている。このタンブラ３７は、軸線方向に複数組内設されている。なお、これらタンブラ３７は、スライド型や揺動型などで構成され、図示した形状に限定されることはない。
内筒３３と外筒３１とは、その境界がシアーライン３５となる。内筒３３は、鍵穴３９に後述の合鍵４１が挿入されることで、タンブラ３７がシアーライン３５に一致して回転自在となる。つまり、外筒３１と内筒３３とは、シリンダ錠を構成している。また、内筒３３の鍵穴３９は、軸側係合部となっている。
【００２３】
内筒３３には、鍵穴３９と反対側の端面に、連結部材４３を介して上記のカム板１３が固定されている。錠箱１１の施解錠機構２７は、屋外側シリンダ錠２５又は摘み被着軸１９のいずれか一方の施錠回転操作力によって図示しないデッドボルトを突出させ、屋外側シリンダ錠２５又は摘み被着軸１９のいずれか一方の解錠回転操作力によって図示しない突出させたデッドボルトを錠箱１１内へと後退させる。
【００２４】
摘み部材２１は、摘み被着軸１９に着脱自在に外嵌する嵌合筒４５と、この嵌合筒４５の外周に回転自在かつ軸線方向に移動自在な摘みリング４７とを備える。図２に示すように、有底円筒状に形成された嵌合筒４５の外周にはストッパ部４９が設けられる。嵌合筒４５の内部には筒側係合部である合鍵４１が軸線方向に固着される。外周に摘みリング４７を外装した嵌合筒４５の端部には、端面部材５１がビス５３によって固定される。なお、この合鍵４１は、上記シリンダ錠に対してタンブラ３７をシアーライン３５に一致させるキーである。
【００２５】
嵌合筒４５の外周には圧縮バネ５５が外挿され、圧縮バネ５５は一端がストッパ部４９に当接し他端が摘みリング４７に当接する。したがって、摘みリング４７は、圧縮バネ５５の付勢力によって端面部材５１に当接配置される。また、摘みリング４７は、圧縮バネ５５の付勢力に抗して軸線方向に移動することで、端面部材５１から離反される。
【００２６】
端面部材５１の表面には、底部にビス５３の挿入穴５７の穿設された凹部５９が形成され、凹部５９には標示手段６１が嵌着される。標示手段６１は、摘みリング４７の直径方向に長い線状マーク部材とすることができる。この標示手段６１は、摘みリング４７と異なる色、例えば蛍光色などとして視認性を高める、さらには蓄光材料等にて構成されることが好ましい。また、標示手段６１は、ビス５３の挿入穴５７を隠すキャップとしての働きも有している。このように、標示手段６１は、屋内側に露出する嵌合筒４５の端面５１ａ（図３参照）に設けられることで、嵌合筒４５の回転位置を視認可能としている。
【００２７】
摘みリング４７と嵌合筒４５とには、クラッチ手段６３が設けられている。本実施の形態では、クラッチ手段６３は、図３に示すように、摘みリング４７の錠箱１１側に設けられた笠歯車状の凹凸噛合部６３ａと、嵌合筒４５の外周に形成した同じく笠歯車状の凹凸噛合部６３ｂとからなる。凹凸噛合部６３ａ，６３ｂは、摘みリング４７が圧縮バネ５５の付勢力に抗して錠箱１１側へと移動されることで、相互に噛み合い、これにより摘みリング４７と嵌合筒４５との相対回転が規制されて、一体回転するようになっている。また、摘みリング４７の軸線方向の押圧を解除すれば、摘みリング４７は、圧縮バネ５５の付勢力によって再び端面部材５１側へと移動され、凹凸噛合部６３ａ，６３ｂが離反される。これにより、摘みリング４７は、再び嵌合筒４５に対して空転状態となる。
【００２８】
なお、本実施の形態では、凹凸噛合部６３ａ，６３ｂが露出する場合を図例で示すが、クラッチ手段６３は、嵌合筒４５の外周と摘みリング４７の内周とによって覆われることが好ましい。このようにクラッチ手段６３を覆うことで、クラッチ手段６３への指や衣服等の挟み込みを防止することができ、さらには、見栄えが良好となる。
【００２９】
次に、このように構成された防犯サムターン１００の作用を説明する。
通常時、防犯サムターン１００は、摘み被着軸１９に、摘み部材２１が装着された状態となる。すなわち、嵌合筒４５の内部で突出した合鍵４１が、摘み被着軸１９の鍵穴３９へ挿入された状態で、摘み部材２１が摘み被着軸１９に装着されている。この状態で、摘みリング４７は、圧縮バネ５５の付勢力によって端面部材５１に当接配置され、クラッチ手段６３が離反されている。したがって、摘み部材２１は、回転操作しようとしても、摘みリング４７のみが空転することとなり、摘み被着軸１９を介して錠箱１１へ回転操作力を入力することができない。
【００３０】
一方、図４に示すように、摘みリング４７を錠箱１１側へ移動させることで、クラッチ手段６３の凹凸噛合部６３ａ，６３ｂが係合されると、摘みリング４７と嵌合筒４５との相対回転が規制され、摘みリング４７に加えられた回転操作力が、摘み被着軸１９へ伝達される。このとき、摘み部材２１の合鍵４１がシリンダ錠に対応しており、摘み被着軸１９の内筒３３が回転することとなる。これにより、摘み被着軸１９、連結部材４３を介してカム板１３が回転され、錠箱１１の施解錠機構２７が操作可能となる。
【００３１】
また、外出時、就寝時等、サムターン操作が頻繁に必要とならない場合には、摘み部材２１は、取り外されて他の場所で保管される。これにより、防犯サムターン１００は、扉１５の屋内面１７から摘み被着軸１９のみが露出することとなる。摘み被着軸１９は、シリンダ錠となっているため、内筒３３の鍵穴３９に適合する合鍵４１のみでしか操作が行えず、小穴等から挿入された針金や棒等による不正な施解錠操作が不能となる。
【００３２】
このように、防犯サムターン１００は、防犯性の必要程度に応じて、摘み部材２１を装着状態、或いは取り外し状態にすることが可能となる。
【００３３】
したがって、この防犯サムターン１００によれば、扉１５の屋内面１７から突出する摘み被着軸１９に摘み部材２１が装着された状態では、摘み部材２１の嵌合筒外周に設けた摘みリング４７が空転自在となり、小穴等から挿入された針金や棒等による摘みリング４７を介した錠箱１１への施解錠操作力の入力を阻止することができる。
【００３４】
また、施解錠操作時には、摘みリング４７を軸線方向に押し込み、回転操作することで、摘みリング４７がクラッチ手段６３を介して嵌合筒４５と一体回転可能となり、摘みリング４７の回動操作によって摘み被着軸１９を介して錠箱１１へ施解錠操作力を入力することができる。
【００３５】
すなわち、押す、回す、の２つの比較的容易な操作によって従来同様の施解錠操作が可能となる。また、外出時、就寝時等、頻繁なサムターンを行わない場合には、摘み部材２１を摘み被着軸１９から取り外すことにより、扉屋内面１７から摘み被着軸１９のみを突出させた状態とし、小穴等から挿入された針金や棒等による回転操作を不能にし、防犯性を一層高めることができる。
【００３６】
また、摘み被着軸１９の軸側係合部がシリンダ錠であり、嵌合筒４５の筒側係合部が合鍵４１であるので、摘み部材２１を取り外した場合には、摘み被着軸１９にシリンダ錠の鍵穴３９のみが表出することとなり、このシリンダ錠に適合する合鍵４１のみでしか回動が可能、すなわちその合鍵４１を備えた摘み部材２１のみでしか回動が可能とならないので、摘み部材２１を取り外した状態での防犯性を一層高めることができる。
【００３７】
さらに、屋内側へ露出する嵌合筒４５の端面部材５１に、嵌合筒４５の回転位置を視認可能とする標示手段６１を設けたので、摘み部材２１の回転位置、すなわち、施解錠位置を容易に視認することができ、施錠から解錠、或いは解錠から施錠への操作予測が容易となり、操作性を向上させることができる。
【００３８】
なお、本実施の形態では、摘み被着軸１９の軸側係合部がシリンダ錠であり、嵌合筒４５の筒側係合部がシリンダ錠の合鍵４１である場合を例に説明したが、この他、軸側係合部は、工具等による容易な回動が行いにくい形状の凹部、例えば十字形や星型、多角形とし、筒側係合部をこの凹部に嵌合する所定形状の突起など、互いが嵌合し合う凹凸形状として構成してもよい。このような構造を採用することにより、シリンダ錠や合鍵を用いる構成より製品コストを安価にすることができる。
【００３９】
また、上述した実施の形態では、端面部材５１が略円板状とされ、その周縁部分が摘みリング４７の端縁に当接するようになっているが、摘みリング４７の端縁部分の内周に端面部材５１の外周縁が位置するように構成してもよく、好ましくは、標示手段６１が表出していればよく、このような構成とすることで、嵌合筒４５に固定される端面部材５１を直接保持することがなくなる。このような構成に、上記したような、クラッチ手段６３を覆い隠す構成とすれば、摘み部材２１は、摘みリング４７にて外形を構成され、このことから、通常時、空転する摘みリング４７が装着された状態となり、防犯性として好ましいものとなる。
【００４０】
さらに、上述した実施の形態でのクラッチ手段６３は、その形状を笠歯車状の凹凸噛合部６３ａ，６３ｂで構成した例について述べたが、これら凹凸噛合部６３ａ，６３ｂの形状は、その他の形状としてもよく、互いが噛み合い、これにより摘みリング４７と嵌合筒４５との相対回転が規制されて、一体回転が行えれば良く、鋸歯状、矩形歯状、或いはこれらが連続して形成されるのではなく間欠して凹凸が形成されるなどの形状としてもよい。
【図面の簡単な説明】
【００４１】
【図１】本発明に係る防犯サムターンの縦断面図である。
【図２】摘み部材の分解断面図である。
【図３】摘み部材の外観斜視図である。
【図４】摘みリングが軸線方向へ移動された状態の摘み部材の外観斜視図である。
【符号の説明】
【００４２】
１１…錠箱
１３…施解錠入力部材（カム板）
１５…扉
１７…屋内面
１９…摘み被着軸
２１…摘み部材
２３…屋外面
３９…軸側係合部（鍵穴）
４１…筒側係合部（合鍵）
４５…嵌合筒
４７…摘みリング
５１ａ…端面
６１…標示手段
６３…クラッチ手段
１００…防犯サムターン
【図１】
2006226063.tif 000003
【図２】
2006226063.tif 000004
【図３】
2006226063.tif 000005
【図４】
2006226063.tif 000006